(57)【要約】【課題】複数の増幅器の終段回路ブロックへの電源供給停止後も、温度異常が続く場合、外部電源からの電源供給を遮断する無線信号増幅装置を提供する。【解決手段】この発明の無線信号増幅装置１００において、温度センサ４２が過熱を検出すると、電源制御部２０が複数の増幅器３１〜３ｎ，４０の終段回路ブロックへの電源供給を停止する。電源供給停止の後、外部電源遮断装置を構成するサーキットブレーカ１０とブレーカ制御部３０とのうち、ブレーカ制御部は、温度センサの検出情報を監視し、温度センサが予め決められた温度変化を検出しない場合、例えば、電源供給停止時よりも温度が上昇する等の場合には異常な状態が続いているものと判断して、外部電源の供給を受けるサーキットブレーカを“オフ”状態に切り替えて外部電源からの電源供給を遮断する。この遮断によって電源供給は完全になくなり、部品の焼損や発火の危険性も完全に無くなる。【選択図】　　　　図１
2004120363.tif 000002
【特許請求の範囲】
【請求項１】
外部電源の供給を受けて各種の電源を生成し、生成した各種の電源を複数の増幅器および終段増幅器に供給するとともに、終段増幅器の温度を温度センサで検知し、過熱状態を検知した場合には、少なくとも終段増幅器の終段回路ブロックへの電源供給は停止する無線信号増幅装置において、
前記電源供給停止の後に、温度センサが予め決められた温度変化を検出しない場合には異常な状態が続いているものとして外部電源からの電源供給を遮断する外部電源遮断装置を有する無線信号増幅装置。
【発明の詳細な説明】
【０００１】
【発明の属する技術分野】
この発明は無線信号増幅装置に関し、特に、無線信号を複数の増幅器で順次に増幅し、その増幅結果をさらに終段増幅器で増幅して出力するために、外部電源の供給を受けて各種の電源を生成し、生成した各種の電源を前記複数の増幅器および終段増幅器に供給するとともに、終段増幅器の温度を温度センサで検知し、過熱状態を検知した場合には、少なくとも終段増幅器の終段回路ブロックへの電源供給は停止する無線信号増幅装置に関する。
【０００２】
【従来の技術】
図２は、この種の無線信号増幅装置の従来例を示すブロック図である。図２で示される無線信号増幅装置２００は、サーキットブレーカ１と、第１〜第ｍの電源回路１１〜１ｍと、第１〜第ｋの負荷２１〜２ｋと、第１〜第ｎの増幅器３１〜３ｎと、終段増幅器（終段回路ブロック）４０と、電源制御部２０とを有する。この無線信号増幅装置２００は、例えば、携帯電話システムの基地局に用いられるものであって、移動する携帯電話等に送信する下り無線信号を第１〜第ｎの増幅器３１〜３ｎおよび終段増幅器４０によって増幅する。この場合、サーキットブレーカ１は、直列型のものであって、過電流が流れたときや付属のスイッチが操作されたときにのみ“オフ”状態になるようにされている。
【０００３】
上述のサーキットブレーカ１は、外部電源からの電源供給を受け取り、第１〜第ｍの電源回路１１〜１ｍおよび第１〜第ｋの負荷２１〜２ｋ（例えば、冷却用のファンのモータ）に供給している。第１〜第ｍの電源回路１１〜１ｍは、第１〜第ｎの増幅器３１〜３ｎおよび終段増幅器４０のそれぞれにおいて、終段回路ブロックおよび各機能回路ブロックに電源を供給している。特に、第１の電源回路１１は、第１〜第ｎの増幅器３１〜３ｎおよび終段増幅器４０の出力トランジスタを含む終段回路ブロック（例えば、終段増幅器４０の終段回路ブロック４１）に電源を供給している。温度センサ４２は最も大きい電力を扱う終段増幅器４０に配置されており、温度センサ４２が過熱状態を検出すると、電源制御部２０は、第１の電源回路１１に電源オフ信号を与えて第１の電源回路１１を“オフ”状態にし、第１〜第ｎの増幅器３１〜３ｎおよび終段増幅器４０の各終段回路ブロックへの電源供給を停止させ、異常状態が続くのを回避させる。
【０００４】
【発明が解決しようとする課題】
無線信号増幅装置を上述したように構成することにより、第１〜第ｎの増幅器３１〜３ｎおよび終段増幅器４０の各終段回路ブロックに異常がある場合には、過熱状態は回避できるが、他の要因による場合、例えば、第ｍの電源回路１ｍが電源を供給している回路ブロック（終段回路ブロック以外の回路ブロック）に帰因する過電流が流れて温度上昇が生じている場合、第１〜第ｋの負荷２１〜２ｋのうちの、例えば、冷却ファンモータの停止により、終段回路ブロック以外の回路ブロックの冷却が正常に行われていない場合においては、電源制御部２０だけの制御では異常状態の回避を充分に行うことができない。そのような場合、終段回路ブロック以外の回路ブロックには電源が供給され続けているので、その回路ブロックの発熱は停止せず、部品の焼損や発火が発生する危険性がある。
【０００５】
この発明は、上記の問題を解決するためになされたものであって、温度センサが過熱を検出したことに基づいて、複数の増幅器の終段回路ブロックへの電源供給を停止し、その後に、温度センサが予め決められた温度変化を検出しない場合には異常な状態が続いているものとして外部電源からの電源供給を遮断することができる無線信号増幅装置を提供することを目的とする。
【０００６】
【課題を解決するための手段】
前述した課題を解決するために、この発明は、例えば、無線信号を複数の増幅器で順次に増幅し、その増幅結果をさらに終段増幅器で増幅して出力するために、外部電源の供給を受けて各種の電源を生成し、生成した各種の電源を前記複数の増幅器および終段増幅器に供給するとともに、終段増幅器の温度を温度センサで検知し、過熱状態を検知した場合には、少なくとも終段増幅器の終段回路ブロックへの電源供給は停止する無線信号増幅装置において、前記電源供給停止の後に、温度センサが予め決められた温度変化を検出しない場合には異常な状態が続いているものとして外部電源からの電源供給を遮断する外部電源遮断装置を有する。
【０００７】
このような構成によれば、温度センサが過熱を検出したことに基づいて、少なくとも終段増幅器の終段回路ブロックへの電源供給を停止した後において、外部電源遮断装置は、温度センサの検出情報から、温度センサが予め決められた温度変化を検出しない場合には異常な状態が続いているものと判断して、外部電源からの電源供給を遮断する。したがって、この遮断によって無線信号増幅装置への電源供給は完全になくなり、部品の焼損や発火が発生する危険性も完全に無くなる。
【０００８】
そして、この発明の実施の形態では、それぞれが終段回路ブロック（終段増幅器）および複数の機能回路ブロックを有し、無線信号を順次に増幅する複数の増幅器と、終段回路ブロックおよび複数の機能回路ブロックを有し、前記複数の増幅器が増幅した結果を、さらに、増幅して出力する終段増幅器と、外部電源の供給を受けて動作する付属機能部（例えば、冷却ファン用のモータ）と、供給される外部電源を用いて、前記終段回路ブロックおよび複数の機能回路ブロックのそれぞれに必要な異なる特徴をもつ電源を生成して前記終段回路ブロックおよび複数の機能回路ブロックにそれぞれ供給する複数の電源回路と、終段増幅器に配置された温度センサと、温度センサが閾値以上の温度を検出したときは、少なくとも前記終段増幅器の終段回路ブロックへ電源を供給している電源回路をインアクティブにさせる電源制御部とを有する無線信号増幅装置において、外部電源の供給を受けて前記複数の電源回路および付属機能部に電源を供給するとともに、遮断指令を受けると、前記外部電源から前記複数の電源回路および付属機能部への電源供給を遮断することができるサーキットブレーカと、前記電源制御部が前記電源回路をインアクティブにさせた後に、温度センサが予め決められた温度変化を検出しない場合には異常な状態が続いているものとして、前記サーキットブレーカに遮断指令を与えて外部電源からの電源供給を遮断するブレーカ制御部とを有する。
【０００９】
【発明の実施の形態】
以下、この発明の実施の形態について添付図面に基づいて説明する。図１は、この発明の無線信号増幅装置の実施の形態を示すブロック図である。図１で示される無線信号増幅装置１００は、サーキットブレーカ１０と、第１〜第ｍの電源回路１１〜１ｍと、第１〜第ｋの負荷２１〜２ｋと、第１〜第ｎの増幅器３１〜３ｎと、終段増幅器（終段回路ブロック）４０と、電源制御部２０と、ブレーカ制御部３０とを有する。この無線信号増幅装置１００は、例えば、携帯電話システムの基地局に用いられるものであって、移動する携帯電話等に送信する下り信号を第１〜第ｎの増幅器３１〜３ｎおよび終段増幅器４０によって増幅する。
【００１０】
図１に示される無線信号増幅装置１００において、サーキットブレーカ１０は、デュアルコイル型のものであって、通常は、外部電源からの電源供給を受け、第１〜第ｍの電源回路１１〜１ｍおよび第１〜第ｋの負荷２１〜２ｋ（例えば、冷却用のファンのモータ）に電源を供給しているが、遮断指令を受けると、外部電源からの第１〜第ｍの電源回路１１〜１ｍおよび第１〜第ｋの負荷２１〜２ｋへの電源供給を遮断する。第１〜第ｍの電源回路１１〜１ｍは、第１〜第ｎの増幅器３１〜３ｎおよび終段増幅器４０の終段回路ブロックおよび各機能回路ブロックに電源を供給している。
【００１１】
上述した第１〜第ｍの電源回路１１〜１ｍのうち、第１の電源回路１１は、例えば、終段増幅器４０の出力トランジスタを含む終段回路ブロック（終段増幅器４０においては終段回路ブロック４１）に電源を供給している。また、第１の電源回路１１は、第１〜第ｎの増幅器３１〜３ｎにおいても同じ電源を必要としている機能回路ブロックに電源を供給する。ここでは説明を簡単にするために、第１の電源回路１１は、第１〜第ｎの増幅器３１〜３ｎにおいても終段回路ブロック（不図示）に電源を供給しているものとする。さらに、第２の電源回路（不図示）〜第ｍの電源回路１ｍは、第１〜第ｎの増幅器３１〜３ｎおよび終段増幅器４０の終段回路ブロック以外の各機能回路ブロック（例えば、終段回路ブロックとは異なる電源電圧で作動するオペアンプやＭＭＩＣ）に電源を供給している。この場合、第１〜第ｍの電源回路１１〜１ｍは、供給する機能回路ブロックの要求を満たすことができるように電圧や電流容量等の特徴が異なっている。
【００１２】
第１〜第ｎの増幅器３１〜３ｎは、無線信号を順次に増幅し、その出力を終段増幅器４０がさらに増幅して出力する。この場合、終段増幅器４０が最も大きな電力を扱うので、過熱検出用の温度センサ４２は終段増幅器４０に配置されている。温度センサ４２が検出する温度が第１の閾値を超えると、この温度情報を受けた電源制御部２０は、第１の電源回路１１を“オフ”状態にする。したがって、第１〜第ｎの増幅器３１〜３ｎおよび終段増幅器４０のそれぞれの終段回路ブロックには、電源が供給されないこととなる。第１の電源回路１１を“オフ”状態にした後においても、例えば、さらに温度が上昇し、温度センサ４２が検出する温度が第２の閾値を超えると、この温度情報を受けたブレーカ制御部３０は、遮断指令をサーキットブレーカ１０に与えて、サーキットブレーカ１０を“オフ”状態に切り替えさせ、外部電源から第１〜第ｍの電源回路１１〜１ｍへの電源供給を完全に遮断する。
【００１３】
上述の例では、温度センサ４２が検出する温度が第２の閾値を超えると、ブレーカ制御部３０がサーキットブレーカ１０を“オフ”状態に切り替えさせるようにしているが、電源制御部２０が第１の電源回路１１を“オフ”状態にした後に一定時間が経過しても、温度センサ４２の検出温度が予め決められた温度以下にならない場合に、ブレーカ制御部３０がサーキットブレーカ１０を“オフ”状態に切り替えさせるようにしてもよい。また、上述の例では、温度センサ４２を終段増幅器４０にのみ配置しているが、第２の温度センサ等を終段増幅器４０から適宜に離れた個所に配置して、第２の温度センサが検出する温度も下がらないときには、終段回路ブロック以外に問題があるものとして、ブレーカ制御部３０がサーキットブレーカ１０を“オフ”状態に切り替えさせるようにしてもよい。要は、電源制御部２０が第１の電源回路１１を“オフ”状態にした後に、配置された温度センサが予め決められた温度変化を検出しない場合には異常な状態が続いているものとし、ブレーカ制御部３０がサーキットブレーカ１０（または、それに代わる要素）を“オフ”状態に切り替え、外部電源からの電源供給を遮断するようにするのが好ましい。
【００１４】
【発明の効果】
この発明の無線信号増幅装置は、以上において説明したように構成されているので、温度センサが過熱を検出したことに基づいて、複数の増幅器の終段回路ブロックへの電源供給を停止した後において、外部電源遮断装置は、温度センサの検出情報から、温度センサが予め決められた温度変化を検出しない場合には異常な状態が続いているものと判断して、外部電源からの電源供給を自動的に遮断する。したがって、この遮断によって無線信号増幅装置への電源供給は完全になくなり、部品の焼損や発火が発生する危険性も完全に無くなる。
【図面の簡単な説明】
【図１】この発明の無線信号増幅装置の実施の形態を示すブロック図である。
【図２】無線信号増幅装置の従来例を示すブロック図である。
【符号の説明】
１０　サーキットブレーカ、１１〜１ｍ　電源回路、２０　電源制御部、２１〜２ｋ　負荷、３０　ブレーカ制御部、３１〜３ｎ　増幅器、４０　終段増幅器、４１　終段増幅器の終段回路ブロック、４２　温度センサ、１００　無線信号増幅装置。
【図１】
2004120363.tif 000003
【図２】
2004120363.tif 000004